(57)【特許請求の範囲】
【請求項１】
押込み操作によって蓋（１Ｂ）の封緘が破断解除される開封操作部（１Ｄ）を備えた包装箱（１）と、前記包装箱（１）を密封包装したフィルム（２）とを有し、前記フィルム（２）のうち、前記包装箱（１）の前記開封操作部（１Ｄ）に対応する部位又はその近傍に、前記開封操作部（１Ｄ）に対するフィルム（２）外面側からの押込み操作で引き裂かれる脆弱部（３）を形成してある包装体。
【請求項２】
前記フィルム（２）に、前記開封操作部（１Ｄ）の押込み操作時にフィルム（２）の引き裂きを助長する張力が付与されている請求の範囲第１項に記載の包装体。
【請求項３】
前記脆弱部（３）が、前記フィルム（２）のうち、押込み操作時の変位が最も大きくなる前記開封操作部（１Ｄ）の端縁に対応する部位又はその近くに形成されたミシン目から構成されている請求の範囲第１項又は第２項に記載の包装体。
【請求項４】
前記脆弱部（３）が、前記フィルム（２）のうち、押込み操作時の変位が最も大きくなる前記開封操作部（１Ｄ）の端縁に対応する部位又はその近くに形成された第１ミシン目（３Ａ）と、前記開封操作部（１Ｄ）の端縁から基端側に偏位した部位で、かつ、前記開封操作部（１Ｄ）の左右側縁に対して交差する方向に沿って形成された第２ミシン目（３Ｂ）とから構成されている請求の範囲第１項又は第２項に記載の包装体。
【請求項５】
前記フィルム（２）に形成された前記脆弱部（３）の長さが、前記包装箱（１）の前記開封操作部（１Ｄ）の横幅と等しい又はそれに近い長さである請求の範囲第１項から第４項のいずれか１項に記載の包装体。
【請求項６】
前記フィルム（２）の前記脆弱部（３）の形成箇所又はその近傍と、前記包装箱（１）の前記開封操作部（１Ｄ）との各々に、押込み操作のための表示印刷（５ａ，５ｂ）が施されている請求の範囲第１項から第５項のいずれか１項に記載の包装体。
【請求項７】
前記包装箱（１）の前記開封操作部（１Ｄ）は、閉じ姿勢にある前記蓋（１Ｂ）の差込片（１ｄ）と重なり合う箱本体（１Ａ）の一部で構成された押抜き部からなり、この押抜き部の前記差込片（１ｄ）に接着される部位が破断誘導用のミシン目によって区画形成されている請求の範囲第１項から第６項のいずれか１項に記載の包装体。
【請求項８】
前記フィルム（２）が熱収縮性フィルムから構成されている請求の範囲第１項から第７項のいずれか１項に記載の包装体。
【請求項９】
前記第２ミシン目（３Ｂ）が、前記開封操作部（１Ｄ）の左右側縁に対してそれぞれ横断する状態で左右一対形成されているとともに、各第２ミシン目（３Ｂ）が、第１ミシン目（３Ａ）の端部よりも左右方向外方側に突出した位置まで延びている請求の範囲第４項に記載の包装体。
【発明の詳細な説明】
技術分野
本発明は、医薬品や食品或いは化粧品等の製品を包装する場合に用いられる包装体に関し、特に、不正開封防止技術が適用されている包装体に関する。
背景技術
従来から、医薬品や食品等の分野では、押込み操作によって蓋の封緘が破断解除される開封操作部を備えた包装箱が知られている。例えば、実公昭５０−３３３７０号公報等に開示されている包装箱では、紙製の箱本体の開口側端縁に、差込片を備えた開閉操作自在な紙製の蓋が一体形成されている。そして、閉じ姿勢にある蓋の差込片と重なり合う箱本体の壁部分で、かつ、差込片の特定箇所と接着剤で接合される部位の周囲に沿って破断誘導用のミシン目が形成されている。このミシン目で区画形成された押抜き部が、押込み操作によって蓋の封緘が破断解除される開封操作部となっている。
この包装箱は、開封操作部である押抜き部がミシン目に沿って破断されているか否かによって、包装箱が既に開封されているか否かを簡単に判別することができると言う一つの利点と、箱本体の壁部分の一部が破断されるだけであるから、開封後の包装箱を製品の収納ケースとしてそのまま使用できると言うもう一つの利点を有する。その反面、開封前の状態では包装箱が外部に露出しているため、押抜き部と蓋の差込片との接着部を外部から巧妙に解除して開封される可能性があり、不正開封防止と言う面からはまだ不十分であった。
そこで、特開平７−１３７７２１号公報等で開示されているフィルム包装技術を利用して、上記のような開封操作部を備えた包装箱を、熱収縮性フィルム等のフィルムで密封包装するとともに、このフィルムの一部に、開封用のミシン目を予め形成することが考えられる。
この場合、包装箱を密封包装するフィルムを除去しなければ、包装箱の開封操作部に対する不正操作を行うことができないため、不正開封の防止効果を高めることができる。しかし、フィルムをミシン目に沿って引き裂き操作する工程と、包装箱の開封操作部を押込み操作して蓋の封緘を破断解除する工程とが必要なため、封緘解除操作が煩雑化すると言う欠点が生じる。さらに、フィルムの一部に形成されているミシン目を見つけ出して、それを引き裂き操作するまでに手間取り易く、封緘解除操作に時間が掛かる問題がある。
尚、フィルムに形成されるミシン目の長さを短くすればするほど、流通過程時や商品陳列時等においてフィルムに意図せぬ外力が作用しても、その外力によってミシン目が引き裂き破損する虞が少なくなるが、同時に、封緘解除時におけるミシン目の見つけ出しに一層手間取り易くなると言う問題も生じる。
従って、本発明の目的は、上述の実状に鑑みて、包装箱をフィルムで密封包装することで不正開封防止効果の高められた包装体で、しかも、流通過程時や商品陳列時等での引き裂き破損が抑制されたまま、封緘解除操作を迅速、容易に行なうことのできる包装体を、包装箱の開封操作部に対する押込み操作を利用した合理的な改造によって提供することにある。
発明の開示
本発明の請求の範囲第１項による包装体の特徴構成は、押込み操作によって蓋の封緘が破断解除される開封操作部を備えた包装箱と、前記包装箱を密封包装したフィルムとを有し、前記フィルムのうち、前記包装箱の前記開封操作部に対応する部位又はその近傍に、前記開封操作部に対するフィルム外面側からの押込み操作で引き裂かれる脆弱部を形成した点にある。
上記特徴構成によれば、フィルムで密封包装された包装箱の開封操作部を、フィルムの外面側から押込み操作すると、この押込み操作に連れて、フィルムの開封操作部に対応する部位又はその近傍に形成された脆弱部に応力が集中し、フィルムが脆弱部に沿って引き裂かれると同時に、蓋の封緘が破断解除される。
しかも、前記脆弱部が、フィルムの開封操作部に対応する部位又はその近傍の限られた部位に形成されているために特有の効果が生じる。すなわち、その、包装箱を密封包装するフィルムの全長に亘って脆弱部を形成する場合に比較して、流通過程時や商品陳列時等においてフィルムに意図せぬ外力が作用しても、その意図せぬ外力に起因する脆弱部の引き裂き破損を抑制することができる点である。もう一つの効果は、前記脆弱部が、最も目立ち易い開封操作部の特性を利用して脆弱部を容易に見つけ出すことができる点である。
従って、開封操作部を備えた包装箱をフィルムで密封包装することによって不正開封の防止効果が高められたただけでなく、包装箱の開封操作部に対する押込み操作で自動的に引き裂かれる脆弱部を、フィルムの開封操作部に対応する部位又はその近傍に形成すると言う、簡単かつ安価な改造によって、流通過程時や商品陳列時等でのフィルムの引き裂き破損は抑制しながら、同時に、包装箱の封緘解除操作を迅速、容易に行なうことができる。
本発明の請求の範囲第２項による包装体の特徴構成は、前記フィルムに、前記開封操作部の押込み操作時にフィルムの引き裂きを助長する張力が付与されている点にある。
上記特徴構成によれば、フィルムで密封包装された包装箱の開封操作部を、フィルムの外面側から押込み操作すると、フィルムが前記脆弱部に沿って引き裂かれると同時に、フィルムに付与されていた張力が解除されて、該フィルムが引き裂き状態に応じて収縮するので、フィルムはもはや包装されていた当初の形状に復元されることはない。
それ故に、フィルムの開封済み状態が明確に示され、不正開封防止効果をより高めることができる。
本発明の請求の範囲第３項による包装体の特徴構成は、前記脆弱部が、前記フィルムのうち、押込み操作時の変位が最も大きくなる開封操作部の端縁に対応する部位又はその近くに形成されたミシン目から構成されている点にある。
上記特徴構成によれば、前記脆弱部を、例えば、フィルムの薄肉部分から構成する等、他に考えられる構成に比して、フィルムに対する加工が容易で、製造コストの低廉化を図ることができる。また、押込み操作量が最も大きくなる開封操作部の端縁側での操作変位を利用して、フィルムが脆弱部に沿って確実、容易に引き裂かれると言う利点が生じる。
本発明の請求の範囲第４項による包装体の特徴構成は、前記脆弱部が、前記フィルムのうち、押込み操作時の変位が最も大きくなる前記開封操作部の端縁に対応する部位又はその近くに形成された第１ミシン目と、前記開封操作部の端縁から基端側に偏位した部位で、かつ、前記開封操作部の左右側縁に対して交差する方向に沿って形成された第２ミシン目とから構成されている点にある。
上記特徴構成によれば、フィルムで密封包装された包装箱の開封操作部を、フィルムの外面側から押込み操作すると、先ず、この押込み操作に連れて、フィルムの開封操作部の端縁に対応する部位又はその近くに形成された第１ミシン目に応力が集中し、フィルムが第１ミシン目に沿って引き裂かれると同時に、蓋の封緘が破断解除される。
この後、仮に第１ミシン目だけが設けてあれば、開封操作部の押込み操作に従って、第１ミシン目に沿って引き裂かれた箇所を起点として、言わばフィルムの非脆弱部を開封操作部の左右側縁に沿って引張りながら引き裂き、更に、開封操作部が存在する包装箱の上端前面側角部を利用して引張りながら左右方向に沿ってフィルムの非脆弱部を引き裂くと言う、一連の操作が必要である為、フィルムの開封操作が重くなる。
しかし、上述のように、フィルムのうち、開封操作部の端縁から基端側に偏位した部位に、開封操作部の左右側縁に対して交差する方向に沿って第２ミシン目が形成されていれば、第１ミシン目から開封操作部の左右側縁に沿って第２ミシン目まで引き裂いたとき、該第２ミシン目を通して、フィルムの裂け目が包装箱の上端の左右両端部側に誘導形成されるため、フィルムを引張りながら行う必要のある非脆弱部の引き裂き操作が少なくなり、フィルムの開封操作を小さな力で迅速、容易に行なうことができる。
本発明の請求の範囲第５項による包装体の特徴構成は、前記フィルムに形成された脆弱部の長さが、包装箱の開封操作部の横幅と等しい又はそれに近い長さである点にある。
上記特徴構成によれば、前記フィルムの脆弱部形成長さが、例えば、包装箱の横幅よりも小で、かつ、開封操作部の横幅よりも大なる長さに構成されている場合に比較して、流通過程時や商品陳列時等においてフィルムに意図せぬ外力が作用しても、その意図せぬ外力に起因する脆弱部の引き裂き破損をより効果的に抑制することができる。
本発明の請求の範囲第６項による包装体の特徴構成は、前記フィルムの脆弱部の形成箇所又はその近傍と、包装箱の開封操作部との各々に、押込み操作のための表示印刷が施されている点にある。
上記特徴構成によれば、包装箱を封緘解除しようとする使用者の指などは、これらの表示印刷によって適切な押込み操作位置まで視覚的に案内されるので、押込み操作を迷うことなく確実、容易に行なうことができる。
本発明の請求の範囲第７項による包装体の特徴構成は、前記包装箱の開封操作部は、閉じ姿勢にある前記蓋の差込片と重なり合う箱本体の一部で構成された押抜き部からなり、この押抜き部の前記差込片に接着される部位が破断誘導用のミシン目によって区画形成されている点にある。
上記特徴構成によれば、前記押抜き部を押込み操作すると、該押抜き部がミシン目に沿って包装箱の箱本体から破断分離され、この破断分離された該押抜き部が蓋の差込片と一体的に開き操作される。
従って、開封操作部として破断分離される押抜き部が箱本体の一部で構成されているから、この押抜き部に対応する部位又はその近傍に形成されるフィルムの脆弱部の長さも短くなり、流通過程時や商品陳列時等での意図せぬフィルムの引き裂き破損を抑制することができる。
本発明の請求の範囲第８項による包装体の特徴構成は、前記フィルムが熱収縮性フィルムから構成されている点にある。
上記特徴構成によれば、フィルムの熱収縮性を利用して、包装箱を密封包装したフィルムに、開封操作部の押込み操作時にフィルムの引き裂きを助長するための前記張力を簡単に付与することができ、包装コストの低廉化を図ることができる。
本発明の請求の範囲第９項による包装体の特徴構成は、前記第２ミシン目が、開封操作部の左右側縁に対してそれぞれ横断する状態で左右一対形成されているとともに、各第２ミシン目が、第１ミシン目の端部よりも左右方向外方側に突出した位置まで延びている点にある。
上記特徴構成によれば、フィルムで密封包装された包装箱の開封操作部を、フィルムの外面側から押込み操作すると、この押込み操作に連れて、第１ミシン目から開封操作部の左右側縁に沿って第２ミシン目まで引き裂かれたとき、該第２ミシン目を通して、裂け目が包装箱の上端の左右両端部側に誘導形成されるが、このとき、左右一対の第２ミシン目が、第１ミシン目の端部よりも左右方向外方側に突出するので、第２ミシン目から包装箱上端の左右両端部側への裂け目の誘導形成がスムーズになり、フィルムの開封操作をより小さな力で迅速、容易に行なうことができる。
発明を実施するための最良の形態
本発明をより詳細に記述するために、添付の図面に従ってこれを説明する。
〔第１実施形態〕
第１図〜第５図は、目薬容器等の製品Ａを収納する包装体を示し、押込み操作によって蓋１Ｂの封緘が破断解除される開封操作部１Ｄを備えた紙製の包装箱１と、包装箱１の全面を密封包装するフィルム２とからなり、フィルム２のうち、包装箱１の開封操作部１Ｄに対応する部位又はその近傍に、開封操作部１Ｄに対するフィルム２外面側からの押込み操作で引き裂かれる脆弱部３を形成してある。
より具体的には、包装箱１は、第１図に示すように、製品Ａを収納する収納空間Ｓが内部に形成されるように、前後一対の側板部１ａ，１ｂと左右一対の側板部１ｃ，１ｃとで構成された四角筒状の箱本体１Ａと、箱本体１Ａの２つの開口部を自在に開閉操作できるように、後方側板部１ｂの上下方向（筒軸芯方向）の両端部に一体形成された蓋１Ｂ，１Ｂとからなる。各蓋１Ｂ，１Ｂには、閉じ姿勢を維持するための差込片１ｄが備えられている。
更に、製品Ａの出し入れ口となる側の開口部を閉止した姿勢にある蓋１Ｂの差込片１ｄと重合する箱本体１Ａの部位の一部には、破断誘導用のミシン目４が形成されている。より具体的には、破断誘導用のミシン目４は、箱本体１Ａの前方側板部１ａで、かつ、差込片１ｄの左右中央側の特定箇所Ｐ１に接着剤で貼付けられる矩形状部位の周囲に沿って形成されている。ミシン目４によって区画形成されたこの矩形状の部位（押抜き部とも呼ばれる）が、蓋１Ｂの封緘を解除しようとする使用者の指などの押込み操作によって、ミシン目４に沿って破断解除される開封操作部１Ｄを構成している。
フィルム２は、一般のシュリンク包装に使用される熱収縮性の合成樹脂フィルム２から構成されている。使用可能な材料の一例として、ポリエチレン、ポリプロピレン、塩化ビニル、エチレン−酢酸ビニル共重合体等の二軸延伸フィルムを挙げることができる。
第２図と第３図に示すように、熱収縮性フィルム２のうち、押込み操作時の変位が最も大きくなる押抜き部１Ｄの端縁１ｅ、つまり、蓋１Ｂと差込片１ｄとの境界線Ｐ２から最も離れた奥側端縁１ｅの外側脇近傍箇所には、脆弱部３を構成するミシン目が、押抜き部１Ｄの奥側端縁１ｅに沿って平行又はほぼ平行に一直線状に形成されている。そして、この熱収縮性フィルム２に形成されるミシン目３の長さ（脆弱部長さ）Ｌ１は、包装箱１の押抜き部１Ｄの横幅Ｌ２よりも少しだけ大きな長さに構成されている。
熱収縮性フィルム２は、包装箱１の全面を覆った状態で接合される合わせ目の全てがヒートシールされている。そして、ヒートシール時の加熱処理又はヒートシール後の加熱処理に伴って熱収縮性フィルム２に生じる収縮作用によって、包装箱１の全面が密着状態で密封包装され、同時に、この包装箱１を密封包装した熱収縮性フィルム２には、押抜き部１Ｄの押込み操作時にフィルム２の引き裂きを助長する張力が付与される。
この第１実施形態では三方シール法が採られている。すなわち、第４図に示すように、先ず、包装箱１の前側面（正面）、左右両側面、後側面（背面）に沿って折り畳まれた熱収縮性フィルム２の合わせ部分２ａを、第１シール線Ｘに沿ってヒートシールし、次に、熱風を吹きかけて熱収縮性フィルム２を熱収縮させ、更に、第５図に示すように、外側方に突出している左右フィルム部分２ｂ，２ｃを、第２シール線Ｙ１、第３シール線Ｙ２に沿ってヒートシールすることで、包装箱１を熱収縮性フィルム２で包装する。
熱収縮性フィルム２のミシン目３形成箇所の近傍と包装箱１の押抜き部１Ｄの各々には、押込み操作の箇所を視覚的に案内するためのマークや文字等の表示印刷５ａ，５ｂが施されている。
〔第２実施形態〕
本発明の第２実施形態による包装体では、第６図に示すように、熱収縮性フィルム２のうち、押込み操作時の変位が最も大きくなる押抜き部１Ｄの端縁１ｅ、つまり、蓋１Ｂと差込片１ｄとの境界線Ｐ２から最も離れた奥側端縁１ｅに相当する部位に、脆弱部３を構成するミシン目が、押抜き部１Ｄの奥側端縁１ｅに沿って平行又はほぼ平行に一直線状に形成されている。そして、ここでは、熱収縮性フィルム２に形成されるミシン目３の長さＬ１が、包装箱１の押抜き部１Ｄの横幅Ｌ２と同一又はほぼ同一長さに構成されている。
尚、その他の構成は、第１実施形態で説明した構成と同一であるから、同一の構成箇所には、第１実施形態と同一の番号を付記してそれの説明は省略する。
〔第３実施形態〕
本発明の第３実施形態による包装体では、第７図に示すように、熱収縮性フィルム２のうち、押込み操作時の変位が最も大きくなる押抜き部１Ｄの端縁１ｅ、つまり、蓋１Ｂと差込片１ｄとの境界線Ｐ２から最も離れた奥側端縁１ｅの内側近傍箇所に、脆弱部３を構成するミシン目が、押抜き部１Ｄの奥側端縁１ｅに沿って平行又はほぼ平行に一直線状に形成されている。そして、ここでは、熱収縮性フィルム２に形成されるミシン目３の長さＬ１が、包装箱１の押抜き部１Ｄの横幅Ｌ２よりも少し短い長さに構成されている。
尚、その他の構成は、第１実施形態で説明した構成と同一であるから、同一の構成箇所には、第１実施形態と同一の番号を付記してそれの説明は省略する。
〔第４実施形態〕
本発明の第４実施形態による包装体では、第８図に示すように、熱収縮性フィルム２のうち、押込み操作時の変位が最も大きくなる押抜き部１Ｄの奥側端縁１ｅの外側近傍箇所と、それに続く左右側端縁１ｆの一部の外側近傍箇所とに亘って、脆弱部３を構成するミシン目が、押抜き部１Ｄの奥側端縁１ｅ及び左右の側端縁１ｆに沿って、コの状に形成されている。
尚、その他の構成は、第１実施形態で説明した構成と同一であるから、同一の構成箇所には、第１実施形態と同一の番号を付記してそれの説明は省略する。
〔第５実施形態〕
本発明の第５実施形態による包装体では、第９図〜第１１図に示すように、熱収縮性フィルム２のうち、押込み操作時の変位が最も大きくなる押抜き部１Ｄの端縁１ｅ、つまり、蓋１Ｂと差込片１ｄとの境界線Ｐ２から最も離れた奥側端縁１ｅの外側脇近傍箇所に、脆弱部３の一部を構成する第１ミシン目３Ａが、押抜き部１Ｄの奥側端縁１ｅに沿って平行又はほぼ平行に一直線状に形成されている。そして、ここでは、第１ミシン目３Ａの他に、熱収縮性フィルム２のうち、押抜き部１Ｄの端縁１ｅから基端側に偏位した中間部位で、かつ、押抜き部１Ｄの左右側縁１ｆに対してそれぞれ横断する部位に、左右両側縁１ｆに対してそれぞれ直交（交差）する方向に沿って、左右一対の第２ミシン目３Ｂ，３Ｂが脆弱部３の一部として形成されている。
また、熱収縮性フィルム２に形成される第１ミシン目３Ａの長さ（脆弱部長さ）Ｌ１は、包装箱１の押抜き部１Ｄの横幅Ｌ２よりも少しだけ大きな長さに構成されており、各第２ミシン目３Ｂは、第１ミシン目３Ａの両端部よりも左右方向外方側に更に突出する位置まで延びている。
当該実施形態では、包装箱１の高さ、横幅、奥行がそれぞれ７９ｍｍ、６８ｍｍ、２０ｍｍであるとき、押抜き部１Ｄの高さ、横幅Ｌ２がそれぞれ１５ｍｍ、２２ｍｍに構成されているとともに、第１ミシン目３Ａの長さＬ１が２５ｍｍ、第２ミシン目３Ｂ，３Ｂの各長さＬ３が１５ｍｍとなっている。
そして、熱収縮性フィルム２で密封包装された包装箱１の押抜き部１Ｄを、熱収縮性フィルム２の外面側から押込み操作すると、この押込み操作に連れて、熱収縮性フィルム２の押抜き部１Ｄの奥側端縁１ｅに対応する部位又はその近くに形成された第１ミシン目３Ａに応力が集中し、熱収縮性フィルム２が第１ミシン目３Ａに沿って引き裂かれると同時に、蓋１Ｂの封緘が破断解除される。
このとき、仮に第１ミシン目３Ａだけが設けてあれば、押抜き部１Ｄの押込み操作に従って、第１ミシン目３Ａに沿って引き裂かれた箇所を起点として、言わば熱収縮性フィルム２の非脆弱部を押抜き部１Ｄの左右側縁１ｆに沿って引張りながら引き裂き、更に、蓋１Ｂを開閉操作自在にするために、押抜き部１Ｄが存在する包装箱１の上端前面側角部（蓋１Ｂと差込片１ｄとの境界線Ｐ２に相当する角部）を利用して熱収縮性フィルム２の非脆弱部を引張りながら左右方向に沿って引き裂くと言う、一連の操作が必要であるため、熱収縮性フィルム２の開封操作が重くなる。
しかし、当該第５実施形態のように、熱収縮性フィルム２のうち、押抜き部１Ｄの奥側端縁１ｅから基端側（蓋１Ｂと差込片１ｄとの境界線Ｐ２側）に偏位した中間部位に、押抜き部１Ｄの左右側縁１ｆに対して直交する方向に沿って左右一対の第２ミシン目３Ｂ，３Ｂが形成されていれば、第１ミシン目３Ａから押抜き部１Ｄの左右両側縁１ｆに沿って左右の第２ミシン目３Ｂ，３Ｂまで引き裂いたとき、第１１図に示すように、各第２ミシン目３Ｂ，３Ｂを通して、熱収縮性フィルム２の裂け目が包装箱１の上端の左右両端部（肩部）Ｐ側に向かって斜め上方に誘導形成されるため、熱収縮性フィルム２を引っ張りながら行う必要のある非脆弱部の引き裂き操作が少なくなり、熱収縮性フィルム２の開封操作を小さな力で迅速、容易に行なうことができる。
尚、その他の構成は、第１実施形態で説明した構成と同一であるから、同一の構成箇所には、第１実施形態と同一の番号を付記してそれの説明は省略する。
〔第６実施形態〕
本発明の第６実施形態による包装体では、第１２（Ａ）図〜第１２（Ｄ）図に示すように、包装箱１の後方側板部１ｂの端部に、箱本体１Ａの開口部を開閉操作自在で、かつ、閉じ姿勢を維持するための差込片１ｄを備えた蓋１Ｂが一体形成されている。そして、前方側板部１ａの端部には、閉じ姿勢にある蓋１Ｂ上に重ね合わされる補助蓋１Ｅが一体形成されており、補助蓋１Ｅの内面には、補助蓋１Ｅを蓋１Ｂの上面に貼り付けるための粘着剤（糊剤）ａが塗布されている。更に、破断誘導用のミシン目４が、基本的に補助蓋１Ｅと前側板部１ａとの境界に沿って、但し、蓋１Ｂの差込片１ｄと重なり合う前方側板部１ａの左右中央位置でＵの字状又は円弧状に屈曲する状態で形成されている。このミシン目４で区画形成された押抜き部１Ｄは、押込み操作によって蓋１Ｂの封緘がミシン目４に沿って破断解除される際の開封操作部を構成している。
尚、その他の構成は、第１実施形態で説明した構成と同一であるから、同一の構成箇所には、第１実施形態と同一の番号を付記してそれの説明は省略する。
〔その他の実施形態〕
（１）包装箱１としては、押込み操作によって蓋１Ｂの封緘が破断解除される開封操作部１Ｄを備えたものであれば、如何なる構造の包装箱１を用いて実施してもよい。
（２）上述の各実施形態では、脆弱部３をミシン目によって構成してあるが、他の部分よりも厚みの薄い状態で線状又は断続線状に形成された薄肉部分から構成してもよい。
また、上述の第５実施形態では、脆弱部３の一部を構成する左右一対の第２ミシン目３Ｂ，３Ｂを、押抜き部１Ｄの端縁１ｅから基端側に偏位した中間部位の一箇所に形成した。しかし、第２ミシン目３Ｂを、押抜き部１Ｄの端縁１ｅから基端側に偏位した中間部位の複数箇所に形成してもよく、また、第２ミシン目３Ｂを、千鳥状に形成してもよい。
更に、上述の第５実施形態では、脆弱部３の一部を構成する左右一対の第２ミシン目３Ｂ，３Ｂを、押抜き部１Ｄの左右側縁１ｆに対して直交する方向に沿って形成したが、第２ミシン目３Ｂ，３Ｂを、包装箱１の上端の左右両端部（肩部）Ｐ側に向かう傾斜姿勢（交差姿勢）で形成してもよい。
要するに、脆弱部３としては、開封操作部１Ｄに対するフィルム２外面側からの押込み操作で引き裂くことのできるものであれば、如何なる形状のものを採用してもよい。
（３）上述の各実施形態では、フィルム２として、一般のシュリンク包装に使用される熱収縮性フィルムを用いたが、熱収縮性以外のフィルムを用いて実施してもよい。
この場合にも、フィルム２に、押抜き部１Ｄの押込み操作時にフィルム２の引き裂きを助長する張力が付与されるように、フィルム２に張力を付与した状態で包装箱１の全面を密封包装すれば良い。
（４）フィルム２の脆弱部３は、開封操作部１Ｄに対するフィルム２外面側からの押込み操作で引き裂くことのできるものであれば、フィルム２の開封操作部１Ｄに対応する部位又はその近傍位置に、任意の形状、大きさで形成することができる。
（５）上述の各実施形態では、帯状の熱収縮性フィルム２を、包装箱１の全面を覆った状態で三方をヒートシールして密封包装したが、熱収縮性フィルム２の接合される合わせ目の全てがヒートシールされていれば、他の如何なるヒートシール方法を採用してもよい。
産業上の利用可能性
以上のように、本発明に係る包装体は、不正開封防止効果を備えた包装体として用いるのに適しており、その中でも、医薬品や食品或いは化粧品等の製品を包装する包装体に適している。
【図面の簡単な説明】
第１図は、本発明の包装体の第１実施形態で用いられる包装箱の開いた状態とそれに収納される製品を示す斜視図であり、
第２図は、本発明の包装体のシュリンク包装後の斜視図であり、
第３図は、シュリンク包装後の包装体の要部の拡大正面図であり、
第４図は、シュリンク包装の第１ヒートシール工程を示す斜視図であり、
第５図は、シュリンク包装の第３ヒートシール工程を示す斜視図であり、
第６図は、本発明の第２実施形態による、シュリンク包装後の包装体の要部の拡大正面図であり、
第７図は、本発明の第３実施形態による、シュリンク包装後の包装体の要部の拡大正面図であり、
第８図は、本発明の第４実施形態による、シュリンク包装後の包装体の要部の拡大正面図であり、
第９図は、本発明の第５実施形態による、シュリンク包装後の包装体を示す斜視図であり、
第１０図は、第９図の包装体の要部の拡大正面図であり、
第１１図は、押抜き部を押込み操作したときの熱収縮性フィルムの引き裂き状態を示す斜視図であり、
第１２（Ａ）図は、本発明の第６実施形態による包装箱の組立て前の斜視図であり、
第１２（Ｂ）図は、本発明の第６実施形態による包装箱の組立て途中の斜視図であり、
第１２（Ｃ）図は、本発明の第６実施形態による包装箱の組立て完成時の斜視図であり、
第１２（Ｄ）図は、本発明の第６実施形態による包装箱の封緘を破断解除した時の斜視図である。
【図１】
0004116879.tif 000002
【図２】
0004116879.tif 000003
【図３】
0004116879.tif 000004
【図４】
0004116879.tif 000005
【図５】
0004116879.tif 000006
【図６】
0004116879.tif 000007
【図７】
0004116879.tif 000008
【図８】
0004116879.tif 000009
【図９】
0004116879.tif 000010
【図１０】
0004116879.tif 000011
【図１１】
0004116879.tif 000012
【図１２】
0004116879.tif 000013